(57)【要約】【課題】引き出し体の出し入れの操作が容易な収納装置を備えたベッドを提供すること。【解決手段】ベッド収納装置３、４を備え、自身の抜差し方向に略平行な外面である滑り面３２４をもつ引き出し体３と、引き出し体３が抜差し可能な開口部Ｄをもつ引き出し体収納部４とをもつ。引き出し体３は滑り面３２４の一部である先端部分３２２が先端に向けて斜めに切りかかれている。結果、引き出し体３の抜差し方向の先端部分３２２が、先端に行くほど相対する引き出し体収納部の当接部から漸次離れていく形態であるため、引き出し体３の先端が引き出し体収納部４の開口部Ｄよりも小さくなり挿入が容易になる。【選択図】図１５
2014036783.tif 000002
【特許請求の範囲】
【請求項１】
ベッド下部に設けられる引き出し式のベッド収納装置を備える収納装置付ベッドであって、
前記ベッド収納装置は、
自身の抜差し方向に略平行な外面である滑り面をもつ引き出し体と、前記引き出し体が先端から開口部を通して抜差し可能な引き出し体収納空間を区画し且つ前記開口部近傍で前記引き出し体の前記滑り面の少なくとも一部に当接して前記引き出し体の抜差しを案内する当接部をもつ引き出し体収納部とをもち、
前記引き出し体の前記滑り面の一部であって前記引き出し体の抜差し方向の中途より前記先端に至る先端部分が前記先端に向けて前記当接部より漸次離れていくか、及び／又は、前記開口部の前記当接部のうち前記引き出し体が差し込まれる側からの一部が前記引き出し体の抜き方向に向かうに従い前記滑り面より漸次離れていくかの少なくとも一方であることを特徴とする収納装置付ベッド。
【請求項２】
前記引き出し体は、略矩形の底板と、前記底板における前記開口部の前記水平方向両端に立設された一組の略矩形の側板と、前記底板の挿脱方向手前側に立設された略矩形の前板と、前記前板より挿脱方向奥側に立設された略矩形の後板とを組み合わせることにより上方向に開口した収納空間を区画する箱体をもち、
前記滑り面は前記側板の下面を含み、
前記当接部は前記側板の下面にも当接し、
前記側板の先端部は前記後板よりも前記引き出し体の差し込み方向に突出する突出部であり、その下側が切り欠かれることで前記当接部より漸次離れていく請求項１に記載の収納装置付ベッド。
【請求項３】
前記前板は前記底板よりも下方向に突出し、
前記前板の下端と前記中途とを結ぶ延長線よりも上側に前記突出部の先端がある請求項２に記載のベッド。
【請求項４】
前記引き出し収納部の前記開口部に至るまでは、前記引き出し部は前記ベッドが配設された床面Ｙ上を滑って移動し、
前記床面Ｙ上にある前記引き出し体の差し込み方向の先端部の最下端が前記開口部の開口の最下端よりも上にある請求項１〜３のうちの何れか１項に記載の収納装置付ベッド。
【請求項５】
前記引き出し収納部の前記開口部よりも手前側に伸びるベッド天板を有する請求項１〜４のうちの何れか１項に記載の収納装置付ベッド。
【発明の詳細な説明】
【技術分野】
【０００１】
本発明は、引き出し体が抜差しできる収納装置を備える収納装置付ベッドに関する。
【背景技術】
【０００２】
物品が収納できる引き出し体を出し入れできる収納装置が設けられたベッドがある（特許文献１など）。収納装置は引き出し体とその引き出し体を抜差し可能な引き出し体収納部とを備え、ベッドフレーム内に配設されていることが多い。
【０００３】
例えば、特許文献１に記載のベッドは幅方向の一側面が開口し内部を収容部（１０）とするとともに上面にマットレスが載置されるベッド本体（１）と、収容部に上記ベッド本体の幅方向に沿って順次出し入れ可能に収納された第１の収納ケース（１５）及び第２の収納ケース（１６）と、ベッド本体の内底部に幅方向に沿ってスライド可能に設けられ先端部がベッド本体の開口した一側面側に位置し後端には収納部の奥側に位置する第２の収納ケースに係合する係合部（３２）が形成されていて、上記収容部から第１の収納ケースを引き出した後で、収容部から引き出す方向にスライドさせることでそのスライドに上記第２の収納ケースを上記係合部を介して連動させる引き出し部材（２８）とを具備する。
【先行技術文献】
【特許文献】
【０００４】
【特許文献１】特開2005-312752号公報
【発明の概要】
【発明が解決しようとする課題】
【０００５】
ここで特許文献１のベッドでは引き出し体に相当する収納ケースを載せてスライドする引き出し部材（２８）と床面との間には段差があるため、収納ケースを収納するときに引き出し部材（２８）にまで持ち上げて積載する必要があり非常に収容しづらい。また、収納ケースを抜き出すときに床面に落とすおそれがあり、その場合に床面を損傷することも考えられる。
【０００６】
本発明は上記実情に鑑み完成したものであり、引き出し体の出し入れの操作が容易な収納装置を備えたベッドを提供することを解決すべき課題とする。
【課題を解決するための手段】
【０００７】
（１）上記課題を解決する本発明の収納装置付ベッドは、ベッド下部に設けられる引き出し式のベッド収納装置を備える収納装置付ベッドであって、前記ベッド収納装置は、自身の抜差し方向に略平行な外面である滑り面をもつ引き出し体と、前記引き出し体が先端から開口部を通して抜差し可能な引き出し体収納空間を区画し且つ前記開口部近傍で前記引き出し体の前記滑り面の少なくとも一部に当接して前記引き出し体の抜差しを案内する当接部をもつ引き出し体収納部とをもち、前記引き出し体の前記滑り面の一部であって前記引き出し体の抜差し方向の中途より前記先端に至る先端部分が前記先端に向けて前記当接部より漸次離れていくか、及び／又は、前記開口部の前記当接部のうち前記引き出し体が差し込まれる側からの一部が前記引き出し体の抜き方向に向かうに従い前記滑り面より漸次離れていくかの少なくとも一方であることを特徴とする。
【０００８】
引き出し体の抜差し方向の先端部分が、先端に行くほど相対する引き出し体収納部の当接部から漸次離れていく形態であるか、引き出し体収納部の当接部の方が引き出し体から漸次離れていく形態であるかのいずれかであれば引き出し体の抜差し方向の先端が引き出し体収納部の開口部よりも小さくなり引き出し体の引き出し体収納部の開口部への挿入が容易になる。
【０００９】
上述した（１）に記載の収納装置付ベッドは以下に記載する（２）、（４）、及び（５）のうちの少なくとも１つの構成を有することができる。（２）の構成を採用するときには（３）の構成を採用することができる。
（２）前記引き出し体は、略矩形の底板と、前記底板における前記開口部の前記水平方向両端に立設された一組の略矩形の側板と、前記底板の挿脱方向手前側に立設された略矩形の前板と、前記前板より挿脱方向奥側に立設された略矩形の後板とを組み合わせることにより上方向に開口した収納空間を区画する箱体をもち、前記滑り面は前記側板の下面を含み、前記当接部は前記側板の下面にも当接し、前記側板の先端部は前記後板よりも前記引き出し体の差し込み方向に突出する突出部であり、その下側が切り欠かれることで前記当接部より漸次離れていく。引き出し体を構成する箱体の深さを一様にでき、使い勝手が良くなる。
（３）前記前板は前記底板よりも下方向に突出し、前記前板の下端と前記中途とを結ぶ延長線よりも上側に前記突出部の先端がある。この構成を採用することにより、引き出し体を平らな床面上にて滑らせて引き出し体収納部の開口部に挿入するときに前板の下端と側板の中途とで床面に接触でき、側板の下の全面で床面に接触する場合と比較して床面との摩擦を低減することができる。
（４）前記引き出し収納部の前記開口部に至るまでは、前記引き出し部は前記ベッドが配設された床面上を滑って移動し、前記床面上にある前記引き出し体の差し込み方向の先端部の最下端が前記開口部の開口の最下端よりも上にある。引き出し体の先端部と開口部との関係を上述のようにすることにより、引き出し体を床面上で滑らせていくだけで開口部内に収納することが可能になる。また、反対に引き出し体を引き出し体収納部の開口部から抜き出すときには、引き出し体が滑らかに床面まで移動していくので引き出し体が床面に勢いよく衝突することも防止できる。
（５）前記引き出し収納部の前記開口部よりも手前側に伸びるベッド天板を有する。ベッド収納装置がベッド天板により隠されるため意匠性が向上する。その場合に引き出し体収納部の開口部は外部から視認することが困難になるため、上述したような引き出し体収納部の開口部への引き出し体の収納のしやすさが発揮されることになる。
【発明の効果】
【００１０】
本発明の収納装置付ベッドは上記構成を有することから以下の作用効果を奏する。すなわち、引き出し体の先端部分が引き出し体収納部の開口部よりも小さくなっているため、引き出し体を引き出し体収納部の開口部に容易に収納することができる。
【図面の簡単な説明】
【００１１】
【図１】本実施形態の収納装置付ベッドの平面図である。
【図２】本実施形態の収納装置付ベッドの右側面図である。
【図３】本実施形態の収納装置付ベッドのフット方向から見た図（引き出し体を外した状態）である。
【図４】本実施形態の収納装置付ベッドのベッド収納装置の引き出し体収納部の平面図である。
【図５】本実施形態の収納装置付ベッドのベッド収納装置の引き出し体収納部の左側面図である。
【図６】本実施形態の収納装置付ベッドのベッド収納装置の引き出し体収納部のフット方向（前面）からみた図である。
【図７】本実施形態の収納装置付ベッドのベッド収納装置の引き出し体の平図である。
【図８】本実施形態の収納装置付ベッドのベッド収納装置の引き出し体のフット方向から見た図である。
【図９】本実施形態の収納装置付ベッドのベッド収納装置の引き出し体の左側面図である。
【図１０】本実施形態の収納装置付ベッドのベッド収納装置におけるベッド収納装置とベッドフレームとの接続部分の拡大図である。
【図１１】本実施形態の収納装置付ベッドのベッド収納装置におけるベッド収納装置とベッドフレームとの接続部分の拡大図である。
【図１２】本実施形態の収納装置付ベッドのベッド収納装置におけるベッド収納装置とベッドフレームとの接続部分の拡大図である。
【図１３】本実施形態の収納装置付ベッドのベッド収納装置におけるベッド収納装置とベッドフレームとの接続部分の拡大図である。
【図１４】本実施形態の収納装置付ベッドのベッド収納装置の引き出し体を床面に置いたときの左側面図である。
【図１５】本実施形態の収納装置付ベッドのベッド収納装置の引き出し体を引き出し体収納部の開口部に収納する直前の左側面図である。
【図１６】本実施形態の収納装置付ベッドのベッド収納装置の引き出し体を引き出し体収納部に収納したときの左側面図である。
【発明を実施するための形態】
【００１２】
本発明の収納装置付ベッドについて以下図面に基づき詳細に説明を行う。以下の説明における左右とはベッドに使用者が仰向けに寝たときの左右である。
【００１３】
・構成
図１に示すように、収納装置付ベッド１は、ヘッドフレーム１１、２つのサイドフレーム１２、１３、２枚のボトムボード２１、２５、マットレス６、及びベッド収納装置３、４などで構成されている。ヘッドフレーム１１は、直立した矩形板状の部材である。２つのサイドフレーム１２、１３は、それぞれ横長の矩形板状の部材であり、互いに平行配置とされている。２つのサイドフレーム１２、１３のそれぞれの一端１２ａ、１３ａは、図略の締結部材を用いてヘッドフレーム１１の一方の面に固定されている。２つのサイドフレーム１２、１３のそれぞれの他端１２ｂ、１３ｂには、後述するように、ベッド収納装置３、４のうちの引き出し体収納部４が取り付けられている。
【００１４】
図３に示すように、２つのサイドフレーム１２、１３の間隔は、ヘッドフレーム１１の幅寸法よりも小とされている。したがって、ヘッドフレーム１１の両端は、サイドフレーム１２、１３よりも側方に張り出している。２つのサイドフレーム１２、１３の高さ寸法に対して、ヘッドフレーム１１は上方に突出している。
【００１５】
ヘッドフレーム１１及び２つのサイドフレーム１２、１３は木製とするが、他の材質を用いて形成してもよい。各フレーム１１、１２、１３の外観は、美観性の高い共通フレームデザインで統一されており、意匠性が向上している。共通フレームデザインには、例えば、特定色のモノトーンや木目調デザインを採用でき、これに限定されない。
【００１６】
ボトムボード２１、２５は、正方形に近い矩形のヘッド側ボトムボード２１及びフット側ボトムボード２５に二分割されている。ヘッド側ボトムボード２１は詳細な構造は省略されているが、枠木、上板、簀子木、及び枠木の両側の端部に付設された縁部材２２、２３が設けられている。フット側ボトムボード２５も、詳細な構造は省略されているが、枠木、上板、簀子木、及び枠木の両側及びフット側の端部に付設された縁部材２６〜２８が設けられている。縁部材２２、２３、２６〜２８は端面に向かうにつれて上面高さが漸減している。これらの縁部材２２、２３、２６〜２８の間などは締結部材（２６１ほか）にて締結されている。
【００１７】
ヘッド側ボトムボード２１及びフット側ボトムボード２５は、２つのサイドフレーム１２、１３上に架け渡されるように載置されて使用される。
【００１８】
ヘッド側ボトムボード２１及びフット側ボトムボード２５は、縁部材２２、２３、２６〜２８を含む幅寸法がヘッドフレーム１１の幅寸法に略一致しており、サイドフレーム１２、１３よりも側方に張り出している。また、ヘッド側ボトムボード２１とフット側ボトムボード２５とを足し合わせた長さは、サイドフレーム１２、１３の長さよりも大とされている。ヘッド側ボトムボード２１のヘッド側はヘッドフレーム１１に付き当たっており、フット側ボトムボード２５のフット側はサイドフレーム１２、１３の他端１２ｂ、１３ｂよりも張り出している。ヘッド側ボトムボード２１及びフット側ボトムボード２５の上面に、縁部材２２、２３、２６〜２８にかからない程度の大きさのマットレス６が載置されて使用される。
【００１９】
ベッド収納装置３、４は、図１〜図３に示されるように、２つのサイドフレーム１２、１３の間であってフット側ボトムボード２５の下方（ベッド下部）に配設されている。ベッド収納装置３、４は、引き出し体３及び引き出し体収納部４で構成されている。引き出し体３は、図１に矢印Ａで示されるように、フット方向Ｆに引き出されるようになっており、フット方向Ｆに相対するように見る方向がベッド収納装置３、４の正面になる。
【００２０】
図４〜６に示すように、引き出し体収納部４は、底板４７２、２枚の側板４７３、４７４、３枚の天板４７１、４７５、４７６、及び２つの取付部４１、４２で形成されている。
【００２１】
詳述すると、矩形の底板４７２の短辺（左右の辺：図１に記載のＨＦ方向）上にそれぞれ矩形の側板４７３、４７４が立設されている。２つの側板４７３、４７４の上面の前側同士及び後側同士を橋絡するように、それぞれ細長い矩形の天板４７１、４７５が架け渡されており、その間を天板４７６が配置されている。これらの部材４７１〜４７４に囲まれる部分が引き出し体を収納する引き出し体収納空間を区画する引き出し体収納部（４：４７１〜４７４）を構成する。その引き出し体収納空間に対して引き出し体３が収納される側の開口である開口部Ｄがある。この開口部Ｄにて引き出し体３が挿脱される。そして、これらの部材４７２〜４７４の内側が引き出し体３と当接する当接部４７２ａ〜４７４ａを構成し、この当接部４７２ａ〜４７４ａに当接した状態で引き出し体３を案内しながら引き出し体３は挿脱される。側板３２、３３の高さが開口部Ｄの高さと略同一の形態にすることも可能であり、その場合には天板４７１と引き出し体３とが引き出し体３を挿入するときに当接することもあり、その場合には天板４７１にも当接部が存在する。床板４７２の開口部Ｄ側の一部分は別部材である補助桟４７２１（当接部の一部に相当）から形成されている。補助桟４７２１は開口部Ｄの外側（図５の左側。引き出し体３が差し込まれる側）に向かうに従い、厚みが小さくなるように上面（左上）が斜めに切り欠かれている。
【００２２】
前側の天板４７１の上面には、収納装置付ベッド１の幅方向に係合溝４７１ａが刻設されている。係合溝４７１ａには、フット側ボトムボード２５の下部に設けられた簀子木（図略）のうち一番、フット側に位置するものが係入する。また、２枚の側板４７３、４７４の前方寄りから側方外向きに突出するように、それぞれ取付部４１、４２が一体的に設けられている。各取付部４１、４２の上部寄り及び略中間高さにそれぞれ、共締孔４１１、４１２、４２１、４２２が穿設されている。共締孔４１１、４１２、４２１、４２２の内周には、雌ねじが嵌入されている。底板４７２の底面には床面Ｙに当接する脚部材４７２２が配設される。
【００２３】
次に、図７〜９に示すように、引き出し体３は、５枚の矩形板すなわち底板３６、２枚の側板３２、３３、前板３１、及び後板３７で形成されており、上方に開口する浅い収納空間を区画する箱体を形成している。２枚の側板３２、３３の手前側の端部は前板３１に接合されており、その部分に補強駒３５が配設される。底板３２の下部にはＨＦ方向に向けて配設される補強桟３４をもつ。前板３１の下には本発明の下端に相当する保護部材３１２が付設されている。保護部材３１２はゴムなどの弾性部材や樹脂などで形成することができる。後板３７は側板３２、３３の抜差し方向の先端にまで至らず途中にて側板３２及び３３の間を接続する。つまり、側板３２及び３３は後板３７よりも突出する部分（突出部に相当）をもつ。
【００２４】
ここで、図９では引き出し体３の左側についてのみ記載しているが右側も左側と対称の構成をもち同様の説明が成り立つ。以下の説明についての左右の一側のみからの説明を行うが反対の側についても同様の説明が成り立つ。図９に示すように、引き出し体３の側板３２は下側が、引き出し体３の抜差し方向に平行である滑り面３２４を構成する。側板３２の先端側（図面右方）の先端部分３２２は元々矩形であった部材から斜めに切り欠かれて形成された部分であり、開口部Ｄ内の当接部４７２ａから先端方向に行くに従い漸次離れていく形状になっている。引き出し体３の抜差し方向に平行な滑り面３２４から先端部分３２２には請求項における中途に相当する床当接部３２３になっている。床当接部３２３は後板３７が接合された位置よりも抜差し方向で先端方向にある。結果、前板３１、側板３２及び３３、後板３７、底板３６からなる箱体にて区画される収納空間の深さは抜差し方向で一様にすることができる（仮に床当接部３２３を後板３７よりも手前側に設けたとすると、先端部分３２２の存在により収納空間の形状も切り欠かれた形状になる）。更に側板３２の先端側の幅方向の外側についても先端側に行くに従って板厚が薄くなるように切り欠かれた先端部分３２１が形成されている。
【００２５】
前板３１の幅方向寸法は、２つのサイドフレーム１２、１３の間隔に概ね一致しており、底板３６の幅や２枚の側板３２、３３の間隔よりも大きい。したがって、前板３１の両端は、底板３６及び側板３２、３３よりも側方に張り出している。前板３１の下部中央は、部分的に切り欠かれており、把手３１１が形成されている。また、前板３１の前面には、ケース共通デザインの化粧パネルが貼設されている。
【００２６】
次に、２つのサイドフレーム１２、１３のそれぞれの他端１２ｂ、１３ｂに引き出し体収納部４を取り付ける構造について説明する。引き出し体収納部４の取付構造は両側で同じであるので、以下では一方（左側）のみ図示して説明する。
【００２７】
図１０〜１３に示すように、引き出し体収納部４の取り付けには、固定金具１２１、及び固定金具１２３、１２４を用いる。固定金具１２１は、断面が直角に屈曲したＬ字状で、幅がサイドフレーム１２、１３の高さよりも小さい金属性板状の部材である。図１０及び図１３に示されるように、固定金具１２１の直交する２つの面のうちの前面に露出する側（小さい側）の面の上部寄りに取付孔１２１１が穿設されている。また、小さい側の面９２の下方縁には、Ｕ字状に切り欠かれた取付溝１２１２が形成されている。固定金具１２１の大きい側の面９３は、予めサイドフレーム１３の他端１２ｂに固着されている。
【００２８】
固定金具１２１の前面に引き出し体収納部４の取付部４２を位置合わせして、取り付けの準備をする。このとき、固定金具１２１の取付孔１２１１及び取付溝１２１２は、取付部４２の２つの共締孔４１１、４１２、４２１、４２２にそれぞれ対向して取り付け可能な状態になる。次に、図１１及び図１２に示されるように、固定金具１２１の前側に駒部材１２２を位置合わせする。
【００２９】
駒部材１２２は、固定部を覆っており、矩形の板材で形成されている。駒部材１２２の高さ寸法は、サイドフレーム１３の高さよりもわずかに大とされている。駒部材１２２の幅寸法は、固定金具１２１の小さい側の面の幅寸法にサイドフレーム１３の板厚を加算した寸法に略一致している。駒部材１２２の厚さ寸法は、サイドフレーム１３の他端１２ｂのフット側に配設されたときに、駒部材１２２の前面と引き出し体収納部４の前面とが揃うように設定されている。駒部材１２２の表面のうち、少なくとも外部から見える前面には、引き出し体収納部４の前面と同様に、ケース共通デザインの化粧パネルが貼設されている。
【００３０】
また、駒部材１２２には、取付部４２の２つの共締孔４１１、４１２、４２１、４２２の位置に対応した位置（２箇所）で、貫通孔８２が厚さ方向に穿設されている。さらに、駒部材１２２の前面には、固定金具１２３、１２４が埋設できるように、貫通孔８２の周りの一部を切欠いて下穴８３が形成されている。一方、固定金具１２３、１２４は、外周面に雄ねじが刻設された軸部及び、軸部よりも大径の頭部で形成されている。貫通孔の内径は、固定金具１２３、１２４の軸部の外径よりも大きく、頭部の外径よりも小さい。下穴の内径は、固定金具１２３、１２４の頭部の外径よりも大きい。
【００３１】
固定金具１２３、１２４を駒部材１２２の前側から下穴及び貫通孔に差し込むと、固定金具１２３、１２４の頭部は下穴の底面で規制される。一方、軸部は、貫通孔を通り抜けて固定金具１２１の取付孔１２１１または取付溝１２１２に係合し、さらに、取付部４２の共締孔４１１、４１２、４２１、４２２に係入する。固定金具１２３、１２４を回転駆動すると、軸部の雄ねじが共締孔４１１、４１２、４２１、４２２の雌ねじに対して螺進する。これにより、前側から順番に駒部材１２２、固定金具１２１、及び引き出し体収納部４の三者が共締めされる。
【００３２】
両側各２本、合計で４本の固定金具１２３、１２４により、引き出し体収納部４がサイドフレーム１２、１３の他端１２ｂ、１３ｂに取り付けられる。このとき、固定金具１２１及び取付部４１、４２は、駒部材１２２に覆われて外部から見えなくなっている。また、引き出し体収納部４の前面と駒部材１２２の前面とは、段差や隙間がなく連続している。引き出し体収納部４に引き出し体３を収納すると、引き出し体３の前板３１は、引き出し体収納部４及び駒部材１２２を覆う。フット方向から見える引き出し体３の前板３１の前面、引き出し体収納部４の前面、及び駒部材１２２の前面は、ケース共通デザインに統一されており、見た目が極めて良好になる。
【００３３】
この後、サイドフレーム１２、１３にフット側ボトムボード２５が載置されて図１２に示される状態となる。図１２は、実施形態の収納装置付ベッド１において、引き出し体３を引き出してフット方向から見た部分拡大図であり、一部断面が示されている。図示されるように、フット側ボトムボード２５の簀子木のうちの一番、フット側に位置するもの２５１は、駒部材１２２の上部によって係止されており、フット方向（図１２では紙面手前向き方向）の移動が規制されている。なお、簀子木は、引き出し体収納部４の天板４７１の係合溝４７１ａに係入しているが、係合溝４７１ａの深さは必ずしも係止に十分でない場合も考えられる。このため、簀子木は、駒部材１２２によってＦＨ方向で確実に係止される。
【００３４】
・作用効果
図１４〜１６を用いて引き出し体３が引き出し体収納部４に収納及び抜き出される際における動作を説明する。
【００３５】
図１４は引き出し体３を床面Ｙ上に載置した状態を示している。引き出し体３は前板３１の下端に相当する保護部材３１２と滑り面３２４の中途に相当する床当接部３２３とで床面Ｙに接しており、先端部分３２２はそのときの引き出し体３の傾きより大きな傾きで切り欠かれているため、床面Ｙに接することが無い。従って、使用者が引き出し体３を床面Ｙ上で移動させるときには保護部材３１２と床当接部３２３とで僅かに接するようにして床面Ｙ上を滑らせることができ、移動に大きな力が必要無くなる。引き出し体を床面Ｙ上を滑らせて引き出し体収納部４の開口部Ｄにまで至ると（図１５）、先端部分３２２の先端３２２ａの高さ（床面Ｙからの高さ）が、開口部Ｄの最下端に相当する補助桟４７２１の先端４７２１ａの高さ（床面Ｙからの高さ）よりも高くなっている。従って、引き出し体３の先端部分３２２は引き出し体収納部４の開口部Ｄの補助桟４７２１に当接し、滑らかに引き出し体３は開口部Ｄ内に向けて持ち上がっていく。そのため、使用者は引き出し体３の先端を持ち上げたりしなくても引き出し体３を床面Ｙに沿って滑らせるだけで開口部Ｄ内に収納することができる。側板３２、３３の側面にも斜めに切り欠いた先端部分３２１が存在するため、開口部Ｄの側板４７３、４７４の当接部４７３ａ、４７４ａの幅に丁度合うように引き出し体３の幅方向の位置を調節しなくても側板３２及び３３の先端部分３２１に設けた切欠きの厚み方向の大きさの和の幅だけ余裕が生じ、引き出し体３を開口部Ｄ内に収納する際に操作が容易になる。以上のように、上面から見たボトムボード２１及び２５の大きさが、フレーム１２及び１３やベッド収納装置３、４よりも大きなものであっても、引き出し体３の先端を引き出し体収納部４の開口部Ｄに厳密に合わせることなく、引き出し体３を収納することができる。そして、そのまま、引き出し体３を挿入していくと、最終的に引き出し体収納部４内に収納される（図１６）。
【００３６】
次に、図１６の状態から引き出し体３を抜き出す動作について説明する。引き出し体３を抜き出すときに引き出し体３全体を抜き出そうとする場合、抜き出しが完了する直前に引き出し体３の側板３２、３３の先端部分３２２が開口部Ｄの補助桟４７２１に到達する。すると、先端部分３２２と補助桟４７２１とは互いに対応・補完する傾斜をもつため、引き出し体T３を引き出すにつれて重力により先端部分３２２が下に降りていき滑らかに床面Ｙに着地させることができる。従って、引き出し体３を抜き出すときに床面Ｙへの引き出し体３の衝突により、大きな音が生じたり、床面Ｙを傷つけたりするおそれが低くなる。
【００３７】
なお、引き出し体３と引き出し体収納部４とについて切り欠きを設ける組み合わせ（引き出し体３のみ、引き出し体収納部４の当接部のみ、そして双方に設ける）は特に限定しない。また、当接部のうちの少なくとも一部について切り欠きを設けることで本発明の作用効果を発揮することができる。その他、実施形態に限定されず、変形が可能である。
【符号の説明】
【００３８】
１：収納ケース付きベッド
１１：ヘッドフレーム    １２、１３：サイドフレーム
２１：ヘッド側ボトムボード    ２５：フット側ボトムボード
３、４：ベッド収納装置    ３：引き出し体    ４：引き出し体収納部
６：マットレス
Ｙ：床面
【図１】
2014036783.tif 000003
【図２】
2014036783.tif 000004
【図３】
2014036783.tif 000005
【図４】
2014036783.tif 000006
【図５】
2014036783.tif 000007
【図６】
2014036783.tif 000008
【図７】
2014036783.tif 000009
【図８】
2014036783.tif 000010
【図９】
2014036783.tif 000011
【図１０】
2014036783.tif 000012
【図１１】
2014036783.tif 000013
【図１２】
2014036783.tif 000014
【図１３】
2014036783.tif 000015
【図１４】
2014036783.tif 000016
【図１５】
2014036783.tif 000017
【図１６】
2014036783.tif 000018